【手続補正書】
【提出日】平成24年5月21日(2012.5.21)
【手続補正１】
【補正対象書類名】特許請求の範囲
【補正対象項目名】全文
【補正方法】変更
【補正の内容】
【特許請求の範囲】
【請求項１】
伝達すべきデータがそれぞれ同じ標準または異なる標準に従い符号化される個々の要素（ＭＭ−Ｅ１，ＭＭ−Ｅ２）から構成されており、ファイルタイプ変換および／またはファイルフォーマット変換（ＫＯＮＶ）を受信側（Ｂ）のプロファイルに従って行う、
通信システムにおけるデータ伝送方法において、
前記変換（ＫＯＮＶ）を行うとき、外部の記憶場所を指す外部リンク（ＬＫ）を、データ内で該外部リンク（ＬＫ）の有効性を維持するため、前記ファイルタイプ変換および／またはファイルフォーマット変換（ＫＯＮＶ）に応じて変化させることを特徴とする、
データ伝送方法。
【請求項２】
伝達すべきデータがそれぞれ同じ標準または異なる標準に従い符号化される個々の要素（ＭＭ−Ｅ１，ＭＭ−Ｅ２）から構成されており、ファイルタイプ変換および／またはファイルフォーマット変換（ＫＯＮＶ）を受信側（Ｂ）のプロファイルに従って行う、
通信システムにおけるデータ伝送方法において、
前記変換（ＫＯＮＶ）を行うとき、通信システム内で伝送されるデータ内部で第２のデータ要素（ＭＭ−Ｅ２）を指す第１のデータ要素（ＭＭ−Ｅ１）内の内部リンク（ＬＫ）を、前記の異なるデータ要素（ＭＭ−Ｅ１，ＭＭ−Ｅ２）間で該内部リンク（ＬＫ）の有効性を維持するため、前記ファイルタイプ変換および／またはファイルフォーマット変換（ＫＯＮＶ）に応じて変化させることを特徴とする、
データ伝送方法。
【請求項３】
前記変換（ＫＯＮＶ）を行うとき、通信システム内で伝送されるデータ内部で第２のデータ要素（ＭＭ−Ｅ２）を指す第１のデータ要素（ＭＭ−Ｅ１）内の内部リンク（ＬＫ）を、前記の異なるデータ要素（ＭＭ−Ｅ１，ＭＭ−Ｅ２）間で該内部リンク（ＬＫ）の有効性を維持するため、前記ファイルタイプ変換および／またはファイルフォーマット変換（ＫＯＮＶ）に応じて変化させる、請求項１記載の方法。
【請求項４】
受信側のプロバイダにおいて変換（ＫＯＮＶ）を行う、請求項１から３のいずれか１項記載の方法。
【請求項５】
異なる要素間でのデータ内のリンク（ＬＫ）を調べる、請求項１から３のいずれか１項記載の方法。
【請求項６】
データを送信するために準備処理をして、構成情報を伝送するためのヘッダおよび個々の有効情報を伝送するためのボディを各要素として複数のデータパケットの形態でデータに含ませる、請求項１から３のいずれか１項記載の方法。
【請求項７】
データをマルチメディアメッセージサービス（ＭＭＳ）におけるマルチメディアメッセージ（ＭＭ）として伝送する、請求項１から３または６のいずれか１項記載の方法。
【請求項８】
データを移動体加入者端末機器へ伝送する、請求項１から３または請求項６から７のいずれか１項記載の方法。
【請求項９】
伝達すべきデータの要素として同じ標準または異なる標準に従って符号化されているテキストデータおよび／または音声付きまたは音声なしの画像データの形態でデータをユーザ固有に用いるための加入者端末装置（ＭＭＳ−ＵＡ Ｂ）において、
ＭＭＳユーザエージェント（ＭＭＳ−ＵＡ）が設けられており、該ＭＭＳユーザエージェントは、ＭＭＳリレー／サーバ内で受信側（Ｂ）または加入者端末装置側のプロファイルに従って行われたファイルタイプ変換および／またはファイルフォーマット変換（ＫＯＮＶ）によるデータを、受信して表示し、
前記ファイルタイプ変換および／またはファイルフォーマット変換（ＫＯＮＶ）に応じて、外部の記憶場所を指す外部リンク（ＬＫ）が、データ内で該外部リンク（ＬＫ）の有効性維持のため変化されていることを特徴とする加入者端末装置。
【請求項１０】
伝達すべきデータの要素として同じ標準または異なる標準に従って符号化されているテキストデータおよび／または音声付きまたは音声なしの画像データの形態でデータをユーザ固有に用いるための加入者端末装置（ＭＭＳ−ＵＡ Ｂ）において、
ＭＭＳユーザエージェント（ＭＭＳ−ＵＡ）が設けられており、該ＭＭＳユーザエージェントは、ＭＭＳリレー／サーバ内で受信側（Ｂ）または加入者端末装置側のプロファイルに従って行われたファイルタイプ変換および／またはファイルフォーマット変換（ＫＯＮＶ）によるデータを、受信して表示し、
前記ファイルタイプ変換および／またはファイルフォーマット変換（ＫＯＮＶ）に応じて、伝送されるデータ内部で第２のデータ要素（ＭＭ−Ｅ２）を指す第１のデータ要素（ＭＭ−Ｅ１）内の内部リンク（ＬＫ）が、それぞれ異なるデータ要素（ＭＭ−Ｅ１，ＭＭ−Ｅ２）間で該内部リンク（ＬＫ）の有効性維持のため変化されていることを特徴とする加入者端末装置。
【請求項１１】
前記ＭＭＳユーザエージェント（ＭＭＳ−ＵＡ）は、ＭＭＳリレー／サーバ内で受信側（Ｂ）または加入者端末装置側のプロファイルに従って行われたファイルタイプ変換および／またはファイルフォーマット変換（ＫＯＮＶ）によるデータを、受信して表示し、
前記ファイルタイプ変換および／またはファイルフォーマット変換（ＫＯＮＶ）に応じて、伝送されるデータ内部で第２のデータ要素（ＭＭ−Ｅ２）を指す第１のデータ要素（ＭＭ−Ｅ１）内の内部リンク（ＬＫ）が、それぞれ異なるデータ要素（ＭＭ−Ｅ１，ＭＭ−Ｅ２）間で該内部リンク（ＬＫ）の有効性維持のため変化されている、請求項９記載の加入者端末装置。
【請求項１２】
移動電話機として構成されており、ＧＳＭ標準、ＧＰＲＳ標準、ＥＤＧＥ標準またはＵＭＴＳ標準またはそれらの混合形式に従い構成されている、請求項９から１１のいずれか１項記載の加入者端末装置。
【請求項１３】
コンピュータ読み取り可能な記憶媒体において、
該記憶媒体にプログラムが格納されており、
該プログラムがコンピュータの記憶装置にロードされるとデータ処理装置またはコンピュータによって、通信システムのデータ伝送においてファイルタイプおよび／またはファイルフォーマットの変換（ＫＯＮＶ）後、受信側（Ｂ）のプロファイルに従い、外部の記憶場所を指す外部リンク（ＬＫ）の有効性をデータ内で維持するために、自動的なリンク更新を可能にさせることを特徴とする、
コンピュータ読み取り可能な記憶媒体。
【請求項１４】
コンピュータ読み取り可能な記憶媒体において、
該記憶媒体にプログラムが格納されており、
該プログラムがコンピュータの記憶装置にロードされるとデータ処理装置またはコンピュータによって、通信システムのデータ伝送においてファイルタイプおよび／またはファイルフォーマットの変換（ＫＯＮＶ）後、受信側（Ｂ）のプロファイルに従い、通信システム内で伝送されるデータ内部で第２のデータ要素（ＭＭ−Ｅ２）を指す第１のデータ要素（ＭＭ−Ｅ１）の内部リンク（ＬＫ）の有効性を、異なる前記データ要素（ＭＭ−Ｅ１，ＭＭ−Ｅ２）間で維持するために、自動的なリンク更新を可能にさせることを特徴とする、
コンピュータ読み取り可能な記憶媒体。
【請求項１５】
前記記憶媒体に格納されたプログラムによって、通信システムのデータ伝送においてファイルタイプおよび／またはファイルフォーマットの変換（ＫＯＮＶ）後、受信側（Ｂ）のプロファイルに従い、通信システム内で伝送されるデータ内部で第２のデータ要素（ＭＭ−Ｅ２）を指す第１のデータ要素（ＭＭ−Ｅ１）内の内部リンク（ＬＫ）の有効性を、異なる前記データ要素（ＭＭ−Ｅ１，ＭＭ−Ｅ２）間で維持するために、自動的なリンク更新を可能にさせる、請求項１３記載のコンピュータ読み取り可能な記憶媒体。
【請求項１６】
移動無線ネットワークにおけるデータ送信時に請求項１記載の方法を実施する、請求項１３記載のコンピュータ読み取り可能な記憶媒体。
【請求項１７】
移動無線ネットワークにおけるデータ送信時に請求項２記載の方法を実施する、請求項１４記載のコンピュータ読み取り可能な記憶媒体。
【請求項１８】
伝達すべきデータの要素として同じ標準または異なる標準に従って符号化されているテキストデータおよび／または音声付きまたは音声なしの画像データの形態でデータを伝送するためのＭＭＳリレー／サーバ（ＭＭＳ−ＲＳ）において、
ファイルタイプ変換および／またはファイルフォーマット変換を受信側（Ｂ）のプロファイルに従って行うための変換手段（ＫＯＮＶ）が設けられており、
該変換手段（ＫＯＮＶ）は変換を行うとき、外部の記憶場所を指す外部リンク（ＬＫ）を、データ内で該外部リンク（ＬＫ）の有効性を維持するため前記ファイルタイプ変換および／またはファイルフォーマット変換（ＫＯＮＶ）に応じて変化させることを特徴とする、
ＭＭＳリレー／サーバ。
【請求項１９】
伝達すべきデータの要素として同じ標準または異なる標準に従って符号化されているテキストデータおよび／または音声付きまたは音声なしの画像データの形態でデータを伝送するためのＭＭＳリレー／サーバ（ＭＭＳ−ＲＳ）において、
ファイルタイプ変換および／またはファイルフォーマット変換を受信側（Ｂ）のプロファイルに従って行うための変換手段（ＫＯＮＶ）が設けられており、
該変換手段（ＫＯＮＶ）は変換を行うとき、伝送されるデータ内部で第２のデータ要素（ＭＭ−Ｅ２）を指す第１のデータ要素（ＭＭ−Ｅ１）内の内部リンク（ＬＫ）を、それぞれ異なるデータ要素（ＭＭ−Ｅ１，ＭＭ−Ｅ２）間で有効性を維持するため前記ファイルタイプ変換および／またはファイルフォーマット変換（ＫＯＮＶ）に応じて変化させることを特徴とする、
ＭＭＳリレー／サーバ。
【請求項２０】
該変換手段（ＫＯＮＶ）は変換を行うとき、伝送されるデータ内部で第２のデータ要素（ＭＭ−Ｅ２）を指す第１のデータ要素（ＭＭ−Ｅ１）内の内部リンク（ＬＫ）を、それぞれ異なるデータ要素（ＭＭ−Ｅ１，ＭＭ−Ｅ２）間で有効性を維持するため前記ファイルタイプ変換および／またはファイルフォーマット変換（ＫＯＮＶ）に応じて変化させる、請求項１８記載のＭＭＳリレー／サーバ。
【請求項２１】
通信システムにおいて、
伝達すべきデータの要素として同じ標準または異なる標準に従って符号化されているテキストデータおよび／または音声付きまたは音声なしの画像データの形態でデータをユーザ固有に用いるための加入者端末装置（ＭＭＳ−ＵＡ Ｂ）と、
ファイルタイプ変換および／またはファイルフォーマット変換を受信側（Ｂ）のプロファイルに従って行うための変換手段（ＫＯＮＶ）を備えており、伝達すべきデータの要素として同じ標準または異なる標準に従って符号化されているテキストデータおよび／または音声付きまたは音声なしの画像データの形態でデータを伝送するためのＭＭＳリレー／サーバ（ＭＭＳ−ＲＳ）とが設けられており、
前記加入者端末装置（ＭＭＳ−ＵＡ Ｂ）内に、ＭＭＳユーザエージェント（ＭＭＳ−ＵＡ）が設けられており、該ＭＭＳユーザエージェントは、ＭＭＳリレー／サーバ内で受信側（Ｂ）または加入者端末装置側のプロファイルに従って行われたファイルタイプ変換および／またはファイルフォーマット変換（ＫＯＮＶ）によるデータを、受信して表示し、前記ファイルタイプ変換および／またはファイルフォーマット変換（ＫＯＮＶ）に応じて、外部の記憶場所を指す外部リンク（ＬＫ）が、データ内で該外部リンク（ＬＫ）の有効性維持のため変化されており、
前記ＭＭＳリレー／サーバ（ＭＭＳ−ＲＳ）内の変換手段（ＫＯＮＶ）は変換を行うとき、外部の記憶場所を指す外部リンク（ＬＫ）を、データ内で該外部リンク（ＬＫ）の有効性を維持するために前記ファイルタイプ変換および／またはファイルフォーマット変換（ＫＯＮＶ）に応じて変化させることを特徴とする、
通信システム。
【請求項２２】
通信システムにおいて、
伝達すべきデータの要素として同じ標準または異なる標準に従って符号化されているテキストデータおよび／または音声付きまたは音声なしの画像データの形態でデータをユーザ固有に用いるための加入者端末装置（ＭＭＳ−ＵＡ Ｂ）と、
ファイルタイプ変換および／またはファイルフォーマット変換を受信側（Ｂ）のプロファイルに従って行うための変換手段（ＫＯＮＶ）を備えており、伝達すべきデータの要素として同じ標準または異なる標準に従って符号化されているテキストデータおよび／または音声付きまたは音声なしの画像データの形態でデータを伝送するためのＭＭＳリレー／サーバ（ＭＭＳ−ＲＳ）とが設けられており、
前記加入者端末装置（ＭＭＳ−ＵＡ Ｂ）内に、ＭＭＳユーザエージェント（ＭＭＳ−ＵＡ）が設けられており、該ＭＭＳユーザエージェントは、ＭＭＳリレー／サーバ内で受信側（Ｂ）または加入者端末装置側のプロファイルに従って行われたファイルタイプ変換および／またはファイルフォーマット変換（ＫＯＮＶ）によるデータを、受信して表示し、伝送されるデータ内部で第２のデータ要素（ＭＭ−Ｅ２）を指す第１のデータ要素（ＭＭ−Ｅ１）内の内部リンク（ＬＫ）を、異なるデータ要素（ＭＭ−Ｅ１，ＭＭ−Ｅ２）間で該内部リンク（ＬＫ）の有効性を維持するため、前記ファイルタイプ変換および／またはファイルフォーマット変換（ＫＯＮＶ）に応じて変化されており、
前記ＭＭＳリレー／サーバ（ＭＭＳ−ＲＳ）内の変換手段（ＫＯＮＶ）は変換を行うとき、伝送されるデータ内部の内部リンク（ＬＫ）を、それぞれ異なるデータ要素（ＭＭ−Ｅ１，ＭＭ−Ｅ２）間で有効性を維持するため前記ファイルタイプ変換および／またはファイルフォーマット変換（ＫＯＮＶ）に応じて変化させることを特徴とする、
通信システム。